(57)【要約】      （修正有）【課題】目地の幅寸法にバラツキがある場合であっても、少ない種類の、ないしは、一種類のバッカーで対応することができる目地シーリング用バッカー及び目地止水構造を提供する。【解決手段】目地シーリング用のバッカー１が、帯状をし、その一方の面部に、長さ方向に延びる３本以上の溝５…が幅方向の中間部において幅方向に間隔をおくようにして設けられ、もう一方の面部が三面接着防止面１２に形成され、目地の幅寸法に応じて前記溝のうちから選んだいずれか２つの溝において幅方向の両側６，６を前記一方の面側に屈折することで、該バッカー１を、前記もう一方の面において屈折部９，９間１０が平坦な、コ字状にすることができるようになされている。【選択図】図１
2009121022.tif 000002
【特許請求の範囲】
【請求項１】
帯状をしており、その一方の面部に、長さ方向に延びる３本以上の溝が幅方向の中間部において幅方向に間隔をおくようにして設けられると共に、
もう一方の面部が三面接着防止面に形成され、
目地の幅寸法に応じて前記溝のうちから選んだいずれか２つの溝において幅方向の両側を前記一方の面側に屈折することで、前記もう一方の面において屈折部間が平坦な、コ字状にすることができるようになされていることを特徴とする目地シーリング用バッカー。
【請求項２】
請求項１に記載のシーリングバッカーであって、目地の幅寸法に応じて前記溝のうちから選んだいずれか２つの溝において幅方向の両側を前記一方の面側に屈折させてコ字状にしたものが、目地内空間部における不定形シーリング材の背後において、屈折部間の前記三面接着防止面を不定形シーリング材と対面させるように配置されていることを特徴とする目地止水構造。
【請求項３】
前記シーリングバッカーは、コ字状にした状態で、屈折部間を挟む両側が、弾性復元力で外方に開くようになされて、目地内空間部を挟む両面部に弾力的に当接して目地内空間部に保持されている請求項２に記載の目地止水構造。
【発明の詳細な説明】
【技術分野】
【０００１】
本発明は、目地シーリング用バッカー及び目地止水構造に関する。
【背景技術】
【０００２】
例えば窯業系などの外壁面材間の目地を不定形シーリング材を用いて止水する場合に、不定形シーリング材が目地内空間部において三面接着状態とならないように、シーリング材の背後に、横断面方形状のシーリングバッカーを配置することは、従来より行われている。
【０００３】
そして、シーリング材を打つ目地の幅寸法にはバラツキがあることから、そのようなバラツキに対応することができるように、幅寸法の異なる複数種類のバッカーが用意され、目地の幅寸法に応じてそれに合った幅寸法のバッカーを選択して使用することが行われていた。
【特許文献１】特開平０８−１０１００２号公報
【発明の開示】
【発明が解決しようとする課題】
【０００４】
しかしながら、上記のような方法では、施工において、幅寸法の異なる複数種類のバッカーを用意しておく必要があって厄介であるという問題がある。
【０００５】
本発明は、上記のような問題点に鑑み、目地の幅寸法にバラツキがある場合であっても、少ない種類の、ないしは、一種類のバッカーで対応することができる目地シーリング用バッカー及び目地止水構造を提供することを課題とする。
【課題を解決するための手段】
【０００６】
上記の課題は、帯状をしており、その一方の面部に、長さ方向に延びる３本以上の溝が幅方向の中間部において幅方向に間隔をおくようにして設けられると共に、
もう一方の面部が三面接着防止面に形成され、
目地の幅寸法に応じて前記溝のうちから選んだいずれか２つの溝において幅方向の両側を前記一方の面側に屈折することで、前記もう一方の面において屈折部間が平坦な、コ字状にすることができるようになされていることを特徴とする目地シーリング用バッカーによって解決される（第１発明）。
【０００７】
このバッカーでは、３本以上の溝が備えられ、それらのうちから選択した２つの溝において屈折させて屈折部間の幅寸法を異ならせることができるようになされているので、目地の幅寸法にバラツキがある場合であっても、少ない種類の、ないしは、一種類のバッカーで対応することができる。
【０００８】
また、屈折を溝において行うようになされていると共に、屈折状態において屈折部間が平坦となるようにされているので、シーリング材の厚さ寸法を目地の幅方向において均一化することができて、シーリング材によって品質良好な止水状態を形成することができる。
【０００９】
更に、バッカーの屈折部間が平坦であることにより、バッカーの屈折部間の寸法が溝の選択によって段階的にしか変化させることができないなかでバッカーの屈折部間の寸法が目地の幅寸法よりも幾分小さい場合であっても、シーリング材が、バッカーの平坦部を挟む両側を通じて奥方に入り込んでしまうのを効果的に抑制することができる。
【００１０】
また、溝は、シーリング材と対面する三面接着防止面の反対の側の面部に設けられているので、溝内にシーリング材が入り込んで三面接着防止状態を妨げてしまうこともなく、確実な三面接着防止状態を形成することができる。
【００１１】
第１発明のシーリングバッカーであって、目地の幅寸法に応じて前記溝のうちから選んだいずれか２つの溝において幅方向の両側を前記一方の面側に屈折させてコ字状にしたものが、目地内空間部における不定形シーリング材の背後において、屈折部間の前記三面接着防止面を不定形シーリング材と対面させるように配置されていることを特徴とする目地止水構造（第２発明）についても、第１発明と同様の作用効果が奏される。
【００１２】
第２発明において、前記シーリングバッカーは、コ字状にした状態で、屈折部間を挟む両側が、弾性復元力で外方に開くようになされて、目地内空間部を挟む両対向面部に弾力的に当接して目地内空間部に保持されているとよい（第３発明）。
【００１３】
この場合は、バッカーの屈折部間の寸法が溝の選択によって段階的にしか変化させることができないなかで、屈折部間を挟む両側が弾性復元力で外方に開いて目地内空間部に保持されているので、バッカーを目地内空間部に上記のような弾性復元力を利用した簡素な機構で保持させることができる。
【００１４】
しかも、屈折部間を挟む両側が弾性復元力で外方に開くようになされているので、屈折部間の平坦部と、目地内空間部を挟む対向面部との隙間を小さくすることができて、シーリング材が、バッカーの平坦部を挟む両側を通じて奥方に入り込んでしまうのをより一層効果的に抑制することができる。
【発明の効果】
【００１５】
本発明は、以上のとおりのものであるから、目地の幅寸法にバラツキがある場合であっても、少ない種類の、ないしは、一種類のバッカーで対応することができる。
【発明を実施するための最良の形態】
【００１６】
次に、本発明の実施最良形態を図面に基づいて説明する。
【００１７】
図１〜図３に示す実施形態において、１は目地シーリング用バッカー、２，２は窯業系などからなる外壁面材、３は外壁面材間の目地、４は不定形シーリング材である。
【００１８】
図１に示すように、バッカー１は、ウレタンなどの例えば発泡樹脂材等からなっていて、厚さ寸法が例えば２ｍｍ程度の帯状をしており、その一方の面部の幅方向中間部には、一端から他端に渡って長さ方向に延びる３本以上、具体的には例えば６本の溝５…が幅方向に間隔をおくようにして設けられている。本実施形態では各溝５…は、断面方形状に形成され、各溝５の深さ寸法と幅寸法は、上記の２ｍｍに対して例えば１ｍｍ程度であり、隣り合う溝間の寸法もバッカー１の幅方向中央部を除いて例えば１ｍｍ程度に設定され、図１（ハ）に示すように、いずれか２つの溝において幅方向の両側６，６を前記一方の面側に屈折することで、もう一方の面において屈折部９，９間１０が平坦な、コ字状にすることができるようになされている。
【００１９】
そして、バッカー１のもう一方の面部には、ポリオレフィンなどからなる三面接着防止フィルム１１が貼られていて、三面接着防止面１２が形成されている。
【００２０】
目地３のシーリングの施工において、バッカー１は、図２（イ）に示すように、屈折部９，９間１０の幅寸法ａが、目地３の幅寸法ｂと同じかそれよりも短い寸法となる２つの溝５，５を選択して、該溝５，５の位置で幅方向の両側６，６を、溝５…のある面側にコ字状に屈折させた状態にして目地３内に差し込んで配置する。
【００２１】
本実施形態では、バッカー１は、コ字状にした状態で、屈折部９，９間を挟む両側６，６が、弾性復元力で外方に開くようになされていて、図２（ロ）に示すように、目地３内の空間部を挟む両対向面部３ａ，３ａに弾力的に当接して目地３内の空間部に保持されるようになされている。
【００２２】
なお、該バッカー１は、目地３の背後に備えられる柱面などのベース面に当接させた状態にされて目地３内の所定の深さ位置に保持されてもよいし、あるいは、図２（ロ）に示すように、そのようなベース面に頼ることなく、上記の弾性復元力による当接突っ張り作用によって目地３内の所定の深さ位置に保持されるようになされていてもよい。
【００２３】
そして、目地３の幅寸法ｂに図３（イ）〜（ハ）に示すようなバラツキｂ１，ｂ２，ｂ３がある場合は、それに応じた２つの溝を選択して、該溝の位置で幅方向の両側６，６を、溝５…のある面側にコ字状に屈折させた状態にして目地３内に差し込んで配置すればよい。
【００２４】
こうして、目地３内にバッカー１を配置した後、図２（ハ）に示すように、不定形シーリング材４を打てば、該シーリング材４は、目地３内の空間部を挟む両対向面部３ａ，３ａにのみ接着してバッカー１とは三面接着防止面１２によって非接着である二面接着の三面接着防止状態が形成される。
【００２５】
このように、上記のバッカー１及び目地止水構造によれば、帯状のバッカー１に備えられた溝５…のうちから選択した２つの溝５，５において、該バッカー１を屈折させて屈折部９，９間１０の幅寸法ａを異ならせることができるようになされているので、目地３の幅寸法ｂにバラツキｂ１，ｂ２，ｂ３がある場合であっても、少ない種類の、ないしは、一種類のバッカー１で対応することができる。
【００２６】
また、屈折を溝５…において行うようになされていると共に、屈折状態において屈折部９，９間１０が平坦となるようにされているので、シーリング材４の厚さ寸法を目地３の幅方向において均一化することができて、品質良好な止水状態を形成することができる。
【００２７】
更に、バッカー１の屈折部９，９間１０は平坦であることにより、バッカー１の屈折部９，９間１０の寸法ａが溝の選択によって段階的にしか変化させることができないなかでバッカー１の屈折部９，９間１０の寸法ａが目地３の幅寸法ｂよりも幾分小さい場合であっても、シーリング材４が、バッカー１の平坦部１０を挟む両側を通じて奥方に入り込んでしまうのを効果的に抑制することができる。
【００２８】
特に、バッカー１は、コ字状にした状態で、屈折部９，９間１０を挟む両側６，６が、弾性復元力で外方に開くようになされて、目地３内の空間部を挟む両対向面部３ａ，３ａに弾力的に当接して目地内空間部に保持されるようになされているので、屈折部９，９間１０の平坦部と、目地３内の空間部を挟む各側の対向面部３ａ，３ａとの隙間を小さくすることができて、シーリング材４が、バッカー１の平坦部１０を挟む両側６，６を通じて奥方に入り込んでしまうのをより一層効果的に抑制することができる。
【００２９】
また、このように、屈折部９，９間１０を挟む両側６，６が目地３内の空間部を挟む両面部３ａ，３ａに弾力的に当接して目地３内の空間部に保持されるようになされているので、バッカー１を目地３内の空間部に簡素な機構で保持させることができる。
【００３０】
以上に、本発明の実施形態を示したが、本発明はこれに限られるものではなく、発明思想を逸脱しない範囲で各種の変更が可能である。例えば、上記の実施形態では、外壁目地の止水に適用した場合を示したが、本発明は、三面接着防止用のバッカーと不定形シーリング材とで目地を止水する各種目地の止水構造に適用することができるものである。また、バッカーの材質に制限はないし、バッカーに設けられる溝の本数は３本以上であればよく、また、各溝の横断面形状や溝間の間隔寸法等についても種々のものに設定されてよい。
【００３１】
また、本発明では、不定形シーリング材が一次止水材となり、バッカーが二次止水材となるように、バッカーそれ自体を止水性を備えた材料で構成すると共に、屈折部間を挟む両側が弾性復元力で目地内空間部を挟む両面に弾力的に当接することでそれらの間が止水状態となるようにされていてもよい。
【図面の簡単な説明】
【００３２】
【図１】実施形態のバッカーを示すもので、図（イ）は平面図、図（ロ）はバッカーと三面接着防止フィルムとを分離状態にして示す平面図、図（ハ）は屈折状態の一例を示す平面図、図（ニ）及び図（ホ）はそれぞれ斜視図である。
【図２】図（イ）〜図（ハ）は、バッカーとシーリング材とによる目地の止水の施工方法を順次に示す平面図である。
【図３】図（イ）〜図（ハ）は、目地の幅寸法のバラツキに応じたバッカーの使用方法を示す平面図である。
【符号の説明】
【００３３】
１…バッカー
３…目地
３ａ…目地内の対向面部
４…シーリング材
５…溝
６…屈折部間を挟む各側
９…屈折部
１０…屈折部間（平坦部）
１２…三面接着防止面
【図１】
2009121022.tif 000003
【図２】
2009121022.tif 000004
【図３】
2009121022.tif 000005